(57)【要約】【課題】工作機械の加工部分を、影ができないように照明可能な工作機械用照明装置を提案すること。【解決手段】工作機械用照明装置１は、椀状の照明カバー２と、ここに取り付けた円環状の照明ランプ３とを有している。照明カバー２の上端開口部２１に取り付けたマグネット６により、当該工作機械用照明装置１を、主軸９２を取り囲む状態で工作機械９に取り付けることができる。照明装置１を点灯すると、工作機械９の主軸９２下端にチャック９３を介して取り付けられている刃物１０、および工作機械９のテーブル９４の上にクランプ９５によって固定されているワーク材１１が全周から照明されるので、工作機械の加工部分には照明による影が殆どできないので、加工部分の視認性が高まる。【選択図】      図２
2005028461.tif 000002
【特許請求の範囲】
【請求項１】
工作機械による加工部分を照明するための工作機械用照明装置であって、
前記工作機械の主軸を取り囲む状態に配置した照明ランプを有している工作機械用照明装置。
【請求項２】
請求項１において、
前記照明ランプが取り付けられた照明カバーを有し、
前記照明カバーは前記工作機械に着脱可能に取り付けられている工作機械用照明装置。
【請求項３】
請求項２において、
前記照明カバーはマグネットによって前記工作機械に取り付けられている工作機械用照明装置。
【請求項４】
請求項１、２または３において、
前記照明ランプは円環状のものであり、
前記工作機械の主軸に対して同軸状態に配置されている工作機械用照明装置。
【請求項５】
請求項１、２、３または４において、
前記照明ランプの射出側に配置した防護部材を有している工作機械用照明装置。
【発明の詳細な説明】
【０００１】
【発明の属する技術分野】
本発明は、工作機械の加工部分を照明するための工作機械用照明装置に関するものである。
【０００２】
【従来の技術】
図４には、フライス盤やボール盤などの工作機械の加工部分を照明するための一般的に用いられている照明装置を示してある。この図に示すように、照明装置１００は、マグネットが内蔵された端子台１０１と、この端子台１０１に取り付けられた屈曲可能なアーム１０２と、このアーム１０２の先端に取り付けた照明ランプ１０３とを有している。
【０００３】
【発明が解決しようとする課題】
従来の照明装置では、工作機械による加工部分を側方から照明しているので、反対側にはチャック１０７やそこに取り付けられた刃物１０８、あるいは刃物１０８に切削油を供給する切削油ノズル１１２の影が出来てしまう。このため、ワーク材１１１に付けたポンチ痕やけかき線、およびワーク材１１１の加工状態が見えづらいという問題がある。
【０００４】
本発明の課題は、工作機械による加工部分を、影を作ることなく照明可能な工作機械用照明装置を提案することにある。
【０００５】
【課題を解決するための手段】
上記の課題を解決するために、本発明は、工作機械による加工部分を照明するための工作機械用照明装置であって、前記工作機械の主軸を取り囲む状態に配置した照明ランプを有していることを特徴としている。
【０００６】
本発明によれば、工作機械の主軸先端側の加工部分を、一方の側からではなく全周から照明することができる。よって、チャックやそこに取り付けられている刃物、テーブルの上のワーク材に照明による影ができることが殆どない。この結果、ワーク材に付けたポンチ痕やけかき線、およびワーク材の加工状態が、影に邪魔されて視認できないなどの弊害を防止できる。
【０００７】
ここで、照明ランプを照明カバーに取り付け、当該照明カバーを工作機械に対して着脱可能に取り付けると、必要に応じて照明ランプを取り外すことができる。例えば、マグネットを用いて照明カバーを工作機械に対して着脱可能に取り付けることができる。また、このように着脱可能にすると、従来の工作機械にも簡単に取り付けることができるので、工作機械の側に照明ランプ取り付け部を設ける必要がないので経済的である。
【０００８】
また、照明ランプとしては、円環状のものを用いることができる。例えば、市販されている丸型蛍光灯を用いることができる。
【０００９】
さらに、ワーク材の加工時に飛散する切削屑や切削油などによって、照明ランプが損傷し、あるいは汚れてしまうことを防止するために、照明ランプを防護部材によって防護することが望ましい。
【００１０】
【発明の実施の形態】
以下に、図面を参照して、本発明を適用した工作機械用照明装置の一例を説明する。
【００１１】
［実施の形態１］
図１（ａ）、（ｂ）は、本発明の実施の形態１に係る工作機械用照明装置の斜視図、およびその分解斜視図である。図２は、図１に示す工作機械用照明装置の取付け例を示す断面図である。
【００１２】
図１（ａ）、（ｂ）に示すように、工作機械用照明装置１は、小径の上端開口部２１および大径の下端開口部２２が形成された椀状の照明カバー２と、この照明カバー２の内側に同軸状態に取り付けた円環状の照明ランプ３とを有している。照明ランプ３は、一般に市販されている丸型蛍光灯を用いることができ、照明カバー２の内周面に取り付けてある複数の円弧状の取付ブラケット７によって支持されている。照明ランプ３からは給電用配線８が照明カバー２に形成した配線用の穴２６を介して外側に引き出されている。
【００１３】
照明カバー２の上端開口部２１の外周縁部分は一定幅の円環状平坦面２５とされ、ここには等角度間隔で４個のマグネット６が取り付けられている。また、照明カバー２の下端開口部２２には、円環状の防護ネット４（防護部材）が着脱可能な状態で取り付けられている。
【００１４】
防護ネット４には複数の円弧状取付金具５が取り付けられており、照明カバー２の下端開口部２２の外周縁部分には、各円弧状取付金具５に対応する位置にそれぞれ取付穴２３が形成されている。各取付穴２３に対して円弧状取付金具５の一端を差し込むことによって、防護ネット４が着脱可能な状態で照明カバー２に取り付けられている。
【００１５】
図２に示すように、この構成の工作機械用照明装置１を、工作機械９の主軸頭９１における円環状の下端面９１１に対して、主軸９２を取り囲む状態に取り付けることができる。工作機械用照明装置１を点灯すると、工作機械９の主軸９２下端にチャック９３を介して取り付けられている刃物１０、および工作機械９のテーブル９４の上にクランプ９５によって固定されているワーク材１１が、全周から照明される。それ故、加工部分に影ができることを実質的に防止できる。よって、ワーク材１１に付けたポンチ痕やけかき線、およびワーク材１１の加工状態を視認しやすい。
【００１６】
また、工作機械の加工部分に面している照明ランプ３の外周面部分は防護ネット４によって防護されている。よって、ワーク材１１の加工時に飛散する切削屑やノズル１２から供給される切削油などによって、照明ランプ３が損傷し、あるいは汚れが付着するなどの弊害を防止できる。
【００１７】
さらに、工作機械用照明装置１は、マグネットによって、一般の工作機械に対しても簡単に取り付けることができるという利点がある。
【００１８】
［実施の形態２］
図３は、本発明の実施の形態２に係る工作機械用照明装置の取付け例を示す断面図である。本形態の工作機械用照明装置１Ａは、工作機械９の主軸頭９１に埋め込まれている。
【００１９】
すなわち、工作機械９の主軸頭９１の下端面９１１には、主軸９２を中心とする略半円形断面の円環状支持溝９１２が形成されており、その内部に円環状の照明ランプ３が取り付けられている。照明ランプ３は、実施の形態１と同様、主軸頭９１の円環状支持溝９１２を覆うように張られた防護ネット４によって、ワーク材１１の加工時に飛散する切削屑や切削油から防護されている。
【００２０】
この構成の工作機械用照明装置１Ａにおいても、工作機械９のチャック９３に取り付けられている刃物１０、および工作機械９のテーブル９４の上にクランプ９５によって固定されているワーク材１１には、３６０度の方向から照明される。従って、ワーク材１１に付けたポンチ痕やけかき線、およびワーク材１１の加工状態を容易に見ることができるなど、実施の形態１と同様な効果を奏する。
【００２１】
［その他の実施の形態］
上記のいずれの形態においても、照明ランプ３は、防護ネット１１によって覆われていたが、ワーク材１１の加工時に飛散する切削油によって、工作機械用照明装置１の回路が短絡するおそれがある場合には、防護ネット１１の代わりに、アクリル板などの透光性の板を用いてもよい。
【００２２】
また、円環状の照明ランプ３の代わりに、複数の電球型の照明ランプを工作機械９の主軸９２を取り囲む状態に配置してもよい。
【００２３】
【発明の効果】
以上説明したように、本発明の工作機械用照明装置は、照明ランプを工作機械の主軸を取り囲む状態に配置したので、主軸下端にチャックを介して取り付けられている刃物、およびテーブルの上のワーク材を全周から照明できる。それ故、工作機械の加工部分に影が発生することがないので、ワーク材に付けたポンチ痕やけかき線、およびワーク材の加工状態が影によって見えなくなることがない。
【図面の簡単な説明】
【図１】（ａ）、（ｂ）は、本発明の実施の形態１に係る工作機械用照明装置の斜視図およびその分解斜視図である。
【図２】図１に示す工作機械用照明装置の取付け例を示す断面図である。
【図３】本発明の実施の形態２に係る工作機械用照明装置の取付け例を示す断面図である。
【図４】従来の工作機械用照明装置の取付け例を示す図である。
【符号の説明】
１  工作機械用照明装置
２  照明カバー
３  照明ランプ
４  防護ネット（防護部材）
６  マグネット
８  給電用配線
９  工作機械
９１  主軸頭
９１１  主軸頭の下端面
９２  主軸
１０  刃物
１１  ワーク材
【図１】
2005028461.tif 000003
【図２】
2005028461.tif 000004
【図３】
2005028461.tif 000005
【図４】
2005028461.tif 000006